(57)【要約】 【課題】  保存する製品を入れられる底部、例えば成形粉末や流し込んだ製品を収容するカップと、該底部を覆う閉部材を組み合わせてなる、化粧または美容ケア製品を収容するためのコンパクトであって、閉部材のシーリングが改善されたコンパクトを提供する。【解決手段】  保存する製品（Ｐ）を入れられる底部（２）と、該底部を覆う蓋（３）と、少なくとも蓋が閉じているとき、製品（Ｐ）を収容する空間を気密に閉じられるシール部材（１２）を備えるコンパクト（１）であって、シール部材（１２）が、該シール部材を少なくとも２つの互いに直交する回転軸（Ｘ，Ｙ）の周りに回転可能とするボールジョイントが組み込まれた軸部材（１３；３０；７０）により支えられていることを特徴とするコンパクト。【選択図】    図４
2004154579.tif 000002
【特許請求の範囲】
【請求項１】
−保存する製品（Ｐ）を入れられる底部（２）と、
−該底部を覆う蓋（３）と、
−少なくとも蓋が閉じているとき、製品（Ｐ）を収容する空間を気密に閉じられるシール部材（１２）
を備えるコンパクト（１）であって、
シール部材（１２）が、該シール部材を少なくとも２つの互いに直交する回転軸（Ｘ，Ｙ）の周りに回転可能とするボールジョイントが組み込まれた軸部材（１３；３０；７０）により支えられていることを特徴とするコンパクト。
【請求項２】
軸部材が弾性変形可能部分（３０；７０）を含むことを特徴とする請求項１に記載のコンパクト。
【請求項３】
軸部材（１３）が少なくとも１つの弾性変形可能部材（２３）に支えられていることを特徴とする請求項１または２に記載のコンパクト。
【請求項４】
保存する製品が特に底部（２）に支えられている金属製のカップ（５０）に収容されることを特徴とする請求項１ないし３のいずれか１項に記載のコンパクト。
【請求項５】
カップ（５０）が底部上に接着されることを特徴とする請求項４に記載のコンパクト。
【請求項６】
カップ（５０）がシール部材（１２）と対向して接触できる自由端（５１）を有することを特徴とする請求項４または５に記載のコンパクト。
【請求項７】
シール部材（１２）が、少なくともコンパクトが閉じられているとき、底部（２）上に載るような構造であることを特徴とする請求項１ないし４のいずれか１項に記載のコンパクト。
【請求項８】
シール部材が板（１７）を含むことを特徴とする請求項１ないし７のいずれか１項に記載のコンパクト。
【請求項９】
蓋（３）が底部（２）上で回転することを特徴とする請求項１ないし８のいずれか１項に記載のコンパクト。
【請求項１０】
シール部材（１２）が蓋に取り付けられることを特徴とする請求項１ないし９のいずれか１項に記載のコンパクト。
【請求項１１】
シール部材（１２）が底部（２）上で回転する蓋以外の部材（６０）に取り付けられることを特徴とする請求項１ないし９のいずれか１項に記載のコンパクト。
【請求項１２】
回転部材（６０）がアプリケータ（１６）特にスポンジを収納する座部を画定することを特徴とする請求項１１に記載のコンパクト。
【請求項１３】
シール部材（１２）が、軸（Ｘ，Ｙ）に垂直な軸（Ｚ）に沿って移動可能にコンパクトに取り付けられることを特徴とする請求項１ないし１２のいずれか１項に記載のコンパクト。
【請求項１４】
気密に対向して接触している表面とシール部材とを引き離すのに必要な力を軽減する初期リフト効果を生み出せるように作られることを特徴とする請求項１ないし１３のいずれか１項に記載のコンパクト。
【請求項１５】
軸部材が、開けるのを容易にするためにシール部材の回転運動または湾曲運動を助けるように作られることを特徴とする請求項１ないし１４のいずれか１項に記載のコンパクト。
【請求項１６】
軸部材が、前記軸（Ｘ，Ｙ）に垂直な第三の軸に対して非対称的であることを特徴とする請求項１ないし１５のいずれか１項に記載のコンパクト。
【請求項１７】
軸部材が、開けるのを容易にするためにシール部材の回転運動または湾曲運動を助けるように部材（１１）に支持されることを特徴とする請求項１ないし１６のいずれか１項に記載のコンパクト。
【請求項１８】
シール部材周縁部の変形を不均等にし、少なくとも１つの初期リフト領域を生じさせる非対称的な特徴、特に異なる厚みを持つ板を、シール部材が含むことを特徴とする請求項１ないし１７のいずれか１項に記載のコンパクト。
【請求項１９】
製品（Ｐ）が、大気温度で揮発する少なくとも１つの溶剤、特にイソドデカンといった炭化水素を含有することを特徴とする請求項１ないし１８のいずれか１項に記載のコンパクト。
【発明の詳細な説明】
【技術分野】
【０００１】
保存する製品を入れられる底部、例えば成形粉末や流し込んだ製品を収容するカップと、該底部を覆う閉部材を組み合わせてなる、化粧または美容ケア製品を収容するためのコンパクトに関する。
【背景技術】
【０００２】
ＦＲ２８０３９９３号公報では、蓋と底部を連結するヒンジの回転軸と平行な回転軸を中心に回転するようにシール部材を蓋に固定することが提案されている。
ＵＳ５，９８８，１８５号公報は、保存する製品を入れられる底部と、保護部材を取り付けた蓋を組み合わせてなる既知の収容装置を開示している。該保護部材は弾性変形可能な部材を備え、保存している製品を分け取るための自由表面を引き離し可能に覆うことができる。保護部材は、保存している製品の自由表面と弾性的に対向して接触する。
【特許文献１】ＦＲ２８０３９９３号公報
【特許文献２】ＵＳ５，９８８，１８５号公報
【発明の開示】
【発明が解決しようとする課題】
【０００３】
コンパクトの閉部材のシーリングをさらに改善する必要がある。
【課題を解決するための手段】
【０００４】
よって、一側面によると、本発明の目的は、
−保存する製品を入れられる底部と、
−該底部を覆う蓋と、
−少なくとも蓋が閉じているとき、製品を収容する空間を気密に閉じられるシール部材
を備えるコンパクトであって、該シール部材が、該シール部材を少なくとも２つの互いに直交する回転軸の周りに回転可能とするボールジョイントが組み込まれた軸部材により支えられているコンパクトである。
【０００５】
本発明により、シール部材と、それに対応する底部または底部に設置されたカップの表面との気密な接触が容易に得られ、特に、底部でのカップの位置ずれや、カップを底部に取り付けるための接着により起こりがちな厚みの超過を調整することが容易になる。
【０００６】
好適には軸部材は、弾性変形可能部分を含む、または該部分に支えられていてよく、これによりシーリング強度をさらに改善できる。
【０００７】
シール部材は、前記少なくとも２つの軸に垂直な第三の軸に沿って移動可能に装置に取り付けることができる。
【０００８】
保存する製品はカップ、特に底部に支えられている金属製のカップに収容できる。カップは特に底部上に接着できる。
【０００９】
カップは自由端、例えば巻回された端を有してよく、該端はシール部材と対向して接触できる。
【００１０】
用語「ボールジョイント」は、一点の周りの回転を可能とする任意の回転部材を意味するものと理解されるべきである。当該構造により、シール部材表面全体の蓋に対する可動性を増すことができる。ボールジョイントは例えばヘッドが受け部内に嵌合してなる。あるいは、ボールジョイントは異なる方法で得ることも可能で、特に、弾性変形可能な材料、例えばエラストマーを含み得る。そして実際に弾性変形可能な軸部材部分は、回転地点がカップの端から離れた点に定まるように、該端から距離を置いて配置される。そして該回転地点に形成されたボールジョイントは、蓋とシール部材を連結する軸を形成する部分を含み得、該軸は前記回転地点を形成する特定の湾曲地点を含む。
【００１１】
シール部材は板を含み得る。該板は、少なくとも当該コンパクトが閉じられているとき、底部またはカップ上に載るような構造にしてよい。該板は、少なくとも部分的にエラストマー被膜で覆われていてよく、または例えば柔軟なリップの形態の他のシール手段を含んでもよい。
【００１２】
製品は、大気温度で揮発する少なくとも１つの炭化水素ベースの溶剤、例えば炭化水素、例えばイソドデカンを含有してよい。
【００１３】
蓋は好ましくは底部上で回転する。
【００１４】
シール部材は蓋に、または変形として例えば底部上で回転する蓋以外の部材に取り付けることができる。
該回転部材は例えば、アプリケータ特にスポンジを収納する座部を画定できる。
【００１５】
本発明の一側面によると、製品収容空間に陰圧がかかっている場合、気密に対向して接触している表面とシール部材とを引き離すのに必要な力を軽減する初期リフト効果を生み出せるようにコンパクトを作ることが有利である。
【００１６】
例えばシール部材は、例えばシール部材周縁部の変形を不均等にし、１または複数の初期リフト領域を生じさせることにより、開けるときの「吸着カップ」効果を回避しやすくなる非対称的構造を持つようにすることができる。
【００１７】
シール部材は特に、開いたときに軸の周りに湾曲して変形できるようにすることができる。シール部材は例えば、非対称的な特徴、特に異なる厚みを持つ板を用いて作ることができる。
【００１８】
また軸部材を、開けるのを容易にするためにシール部材の回転運動または湾曲運動を助けるようにすることができる。軸部材は特に、前記少なくとも２つの回転軸に垂直な第三の軸に対して非対称的であってよい。
【００１９】
こういった運動を助けるように、軸部材支持体を作ってもよい。
【００２０】
本発明は、以下の非限定的な実施形態に関する詳細な説明と添付の図面の参照によってよりよく理解されるであろう。
【００２１】
図１は、底部２と、該底部に対してヒンジ８により図１の平面と直交する回転軸の周りに回転する蓋３とを備えるコンパクト１を示す。
底部２は、保存する製品Ｐ、例えばファンデーションまたは化粧パウダーを収容する第一座部４と、製品Ｐを塗布するためのアプリケータ１６、例えばスポンジを収納する第二座部５とを備える。
当該実施例において、底部２は２つの部材、つまり外側容器６と該外側容器６内に収まる内側容器７とを備え、該内側容器７が上述の第一および第二座部４および５を画定する。内側容器７は任意の適切な手段、例えば接着、はんだ付けまたはスナップ留めにより外側容器６に取り付けられる。
【００２２】
蓋３は、軸部材８の反対端に、例えば底部２上の窪みまたは突起にラッチ作用で嵌合できる対応する突起または窪みと、鏡１０と、シール部材１２の支持部材１１とを組み合わせてなる閉部材９を備える。シール部材１２は、コンパクト１を閉じたとき、特に製品Ｐが含有し得る揮発性溶剤の蒸発を防ぐために製品収容座部４を密閉するように設計される。
【００２３】
本発明の一側面によると、シール部材１２は軸部材１３により支持部材１１に連結されており、該軸部材により該シール部材は、少なくとも２つの互いに直交する回転軸、つまりヒンジ８の軸に平行な軸Ｘと、ヒンジ８の軸に垂直な且つ図１の平面に含まれている軸Ｙの周りに回転可能となる。
当該実施例において、軸部材１３は、例えばプラスチック射出成形によりシール部材１２の板１７と一体に形成されたボールジョイント１４と、例えば支持部材１１と一体に成形されたケージ１５とを含み、ここでボールジョイント１４は軸ＸおよびＹの周りに回転可能である。
【００２４】
図２に示したように、板１７は製品Ｐと反対側の面に補強用リブ（肋材）１８を設けることができる。
板１７の製品Ｐと対向する面は、全体または周辺のみをエラストマー被膜１９で覆うことができ、該被膜は座部４を囲むリブ２２の端と、図示したように対向して接触することにより気密な接触をもたらすように設計される。
【００２５】
変形例として、図３に示したように板１７はエラストマーで覆わず、底部にシール２０を設けてもよく、該シールは例えば成形エラストマーシール、またはコンパクト１を閉じたとき板１７が対向して接触する取り付けシールリップである。
【００２６】
図示していない変形例において、シール部材は底部の対向する面と気密に契合するシールリップからなっていてもよい。
【００２７】
図１に示したように、支持部材１１は、ケージ１５が蓋３に対して、軸ＸおよびＹに垂直な軸Ｚの周りに移動できるように作ることができる。
支持部材１１は例えば、ケージ１５と蓋３に取り付けられている支持部材１１の上部２４とを連結するある程度の柔軟性を有するアーム２３を備えてよい。
【００２８】
コンパクト１を閉じたとき、シール部材１２は座部４の縁と対向して接触し、よって座部４は密閉される。シール部材１２が蓋３に対して軸ＸおよびＹの周りに回転できることにより、シール部材１２とそれに対応する底部２表面との接触が気密でなくなる虞が低減され、外側容器６内での内側容器７の位置ずれが許容される。
【００２９】
図１の実施例において、製品Ｐは内側容器７により画定された座部４内に直接配置されている。
製品Ｐが、図４および５に例示したように例えば接着により底部２に取り付けられた例えば金属製のカップ５０内に収容される場合も本発明の範囲内である。
【００３０】
シール部材１２は、蓋に取り付けられた支持部材上で回転するのではなく、蓋上で直接、または蓋に対して可動な中間部材６０上で回転してもよい。
図４の実施例において、中間部材６０は底部２上で回転し、蓋３と対向する側で、例えばスポンジなどのアプリケータ１６を収納する座部を画定する。
図４では、シール部材１２と中間部材６０を連結する軸部材は図示していないが、該軸部材は例えば図５に示したボールジョイント１４からなってよい。
シール部材１２は、カップ５０の上端５１と対向して接触でき、該上端は被膜１９を傷つけないように巻回してよい。
シール部材１２の中間部材６０に対する回転運動は、座部におけるカップ５０の位置ずれだけでなく、カップを底部２に取り付けるのに使用され得る接着剤の厚さによるカップの上端５１の高さ位置の相違も調整する。
【００３１】
変形例として、図６に示したようにシール部材１２はカップ５０を収納する座部の縁２７と対向して接触してもよい。
【００３２】
シール部材が蓋と一体であっても、蓋に対して可動な中間部材と一体であっても、回転運動はヘッド１４がケージ１５内に嵌合してなるボールジョイント以外の手段で達成することもできる。
【００３３】
例えば、図７はシール部材１２の板１７上に成形されたエラストマー材料で作られた軸部材３０を示す。
同じく図７で見られるように、軸部材の材料３０は必要であれば板１７の端を超え内側面まで達しわずかに重なっていてよく、これを、先述した気密な被膜１９の替わりとしてよい。
【００３４】
軸部材３０は例えば、接着剤５５により蓋３または中間部材６０に取り付けられる。
変形例として、軸部材の材料３０は、板１７と、蓋３または蓋に取り付けられた支持部材または中間部材６０上に成形し、これによりシール部材をコンパクトの残りの部材に取り付けてもよい。
【００３５】
軸部材はまた、弾性変形可能な材料、例えば発泡体のブロック７０からなってよい。図８に示したように、該ブロックは例えば、その反対を向き合う表面７１と７２をそれぞれ、板１７と支持部材または蓋または蓋に対して可動な中間部材に接着することにより取り付けることができる。
【００３６】
軸部材がエラストマー材料３０から作られる場合、または弾性変形可能な材料のブロック７０を用いて作られる場合、軸部材は特に、シール部材の自由端から離れた回転地点の周りに形成される。このような軸部材は、エラストマー材料を局所的に収縮させて、または弾性変形可能な材料のブロックをその横断面がシール部材の横断面より大幅に小さくなるようにして得られる。回転地点は例えば軸Ｚ上に画定される。
【００３７】
シール部材は座部上に気密に載るので、「吸引カップ」効果により開けるのが困難となり得る。
この効果を軽減するために、シール部材がその周縁部の一部の領域から優先的に離れやすくなるようにコンパクトを作ることができる。
換言すると、シール部材および／または座部および／または軸部材および／または軸支持部材を、初期リフト効果を生み出せるように作ることができる。
例えば図９に示したように、例えば円周をより大きくすることで、またはより厚くすることでより堅固に作られた１または複数のアーム２３’を軸支持部材１１に設けることが可能で、これにより、開けるときにシール部材に回転力が掛かり、その引き離しが容易になる。
【００３８】
図１０に示したように、部分３０’の中心をずらして軸部材３０を非対称的に配置することにより、開けるときにシール部材に非対称的な応力分布を生じさせることも可能である。
同様に、図８の軸部材７０を、図１１に示したように中心をずらした部分７０’とすることができる。
【００３９】
図１２に示したように、開けるときにより大幅に変形しシール部材の引き離しを容易にすることができるより柔軟な領域をシール部材に設けることも可能である。
図１２の実施例において、軸部材により伝達される引き離し力がシール部材の周縁部に不均等に分布することで初期リフト効果が生み出されるように、板１７はより厚い部分１７’を含む。
【００４０】
本発明は上述の実施形態に限定されるものではない。
本明細書で述べた様々な実施形態の異なる特徴を組み合わせることが可能なことは明らかである。
【図面の簡単な説明】
【００４１】
【図１】本発明によるコンパクトの実施形態の部分断面図である。
【図２】図１のコンパクトのシール部材の上面図を個別に示す。
【図３】製品を収納する座部の縁がシール部材と対向して接触するシールを含む代替実施形態の部分図である。
【図４】シール部材が蓋に対して可動な代替実施形態の斜視図である。
【図５】製品を収容しているカップがコンパクト底部の座部に収まっている実施形態の概略図である。
【図６】製品を収容しているカップがコンパクト底部の座部に収まっている実施形態の概略図である。
【図７】軸部材の代替実施形態である。
【図８】軸部材の代替実施形態である。
【図９】製品収容空間に陰圧がかかっている場合、容易に開けられるように設計された代替実施形態である。
【図１０】軸部材の代替実施形態である。
【図１１】軸部材の代替実施形態である。
【図１２】製品収容空間に陰圧がかかっている場合、容易に開けられるように設計された代替実施形態である。
【符号の説明】
【００４２】
１    コンパクト
２    底部
３    蓋
４    第一座部
５    第二座部
６    外側容器
７    内側容器
８    軸部材／ヒンジ
９    閉部材
１０  鏡
１１  シール部材１２の支持部材
１２  シール部材
１３  軸部材
１４  ボールジョイント
１５  ケージ
１６  アプリケータ
１７  板
１７’  より厚い部分
１８  補強用リブ（肋材）
１９  エラストマー被膜
２０  シール
２２  リブ
２３  アーム
２３’  より堅固なアーム
２４  支持部材１１の上部
２７  縁
３０  軸部材／エラストマー材料
３０’  中心がずれた部分
５０  カップ
５１  カップ５０の上端
５５  接着剤
６０  回転部材／中間部材
７０  ブロック
７０’  中心がずれた部分
７１  ブロック７０の表面
７２  ブロック７０の表面
【図１】
2004154579.tif 000003
【図２】
2004154579.tif 000004
【図３】
2004154579.tif 000005
【図４】
2004154579.tif 000006
【図５】
2004154579.tif 000007
【図６】
2004154579.tif 000008
【図７】
2004154579.tif 000009
【図８】
2004154579.tif 000010
【図９】
2004154579.tif 000011
【図１０】
2004154579.tif 000012
【図１１】
2004154579.tif 000013
【図１２】
2004154579.tif 000014